(57)【要約】      （修正有）【課題】白内障手術装置である超音波乳化吸引装置に使用する、効率よく水晶体核を破砕乳化する超音波チップを提供する。【解決手段】水晶体核破砕は超音波チップ先端が水晶体核を打撃する事により生ずる。破砕効率は水晶体を打撃する超音波チップ先端の面積に比例する。この面積は、超音波チップの直径を大きくしても、カニューレの肉壁を厚くしても、更にこの両者を同時に取り入れた形状すれば、増大する。超音波チップの先端部分を、外径０．６５ｍｍ（又は、外径０．７５ｍｍ）のカニューレの上に外径０．７５ｍｍ（又は、外径０．９ｍｍ）、更にその上に外径０．９ｍｍ（又は、外径１．１５ｍｍ）を重ねた３層構造にする。これで、内径０．４ｍｍ、外径０．９ｍｍ（又は、内径０．５ｍｍ、外径１．１５ｍｍ）となり、肉厚０．２５ｍｍ（又は、肉厚０．３２５ｍｍ）の大きな円又は楕円の断面積が得られる。【選択図】図１−１
0003221879.tif 000002
【実用新案登録請求の範囲】
【請求項１】
超音波チップ先端部分（図３の７）の外径が、そこから針基までのカニューレ（図３の８）の外径より大きな（長い）形状の超音波チップであって、内径は同じ長さであるところの超音波チップ
【請求項２】
超音波チップ先端部分（図３の７）の外径が、そこから針基までのカニューレ（図３の８）の外径より大きな（長い）形状の超音波チップであって、超音波チップ先端部分（図３の７）の内径がそこから針基までのカニューレ（図３の８）の内径の１．２倍以内であるところの超音波チップ
【考案の詳細な説明】
【技術分野】
【０００１】本考案は、眼科の白内障の超音波乳化吸引手術装置に使用する超音波チップ（超音波ニードル、ＵＳチップとも言う）に関する。
【背景技術】
【０００２】超音波チップはチタン製で、乳化した水晶体を吸引排出する中空のカニューレ（管）である。従来、このカニューレの肉厚は全ての製造者で０．１２ｍｍ±０．０３ｍｍ内にある。
【考案の概要】
【考案が解決しようとする課題】
【０００３】効率良く水晶体核を破砕乳化する超音波チップの形状を示し、超音波駆動時間を減らす。水晶体核を破砕乳化する効率とは水晶体核を破砕開始から、それが完了するまでの超音波駆動時間で数値で表現できる。
水晶体核の破砕乳化効率は超音波チップ先端における、水晶体核に衝突するところの面積に比例する事に気付いた。それ故にその方法は、超音波チップの直径を大きく（太く）するか、肉壁を厚くするか、又は、この二点を組みみ合わせるか、である。
【課題を解決するための手段】
【０００４】本考案超音波チップは外径０．６５ｍｍ／内径０．４ｍｍのカニューレ先端部（図３の７）に外径０．７５ｍｍと外径０．９ｍｍのカニューレを同心円状に重ねる。これで０．２５ｍｍの肉厚になる（図１−１）。他にもう一つ別のモデル、外径０．７５ｍｍ／内径０．５ｍｍのカニューレ先端部に外径０．９ｍｍと外径１．１５ｍｍのカニューレを同心円状に重ねと、０．３２５ｍｍの肉厚になる（図１−１）。
【考案の効果】
【０００５】本考案の外径０．６５ｍｍ超音波チップと従来の外径０．６５ｍｍのストレート形状の超音波チップを同一術者が同一の白内障超音波乳化吸引装置（アルコン社  ＩＮＦＩＮＩＴＹ）で施術をした。本考案チップでは、８５件（平均年齢７３．２歳、平均水晶体核硬度ＥＬ３．１）における平均超音波駆動時間は７３．６秒である。一方、従来形状の超音波チップでは４９件（平均年齢７２．７歳、平均水晶体核硬度ＥＬ３．１）における平均超音波駆動時間は８６．０秒である。本考案の超音波チップ水晶体核破砕の効率アップの効果は歴然である。
【図面の簡単な説明】
【０００６】
【図１】本考案の一例である超音波チップの正面図である。
【図１−１】図１を本件考案が理解しやすくする為に、図１のＡとＢの間をを拡大した断面の側面図である。
【図２】本考案の一例である超音波チップの立面図である。但し、針基部の描画を省略している。
【図３】本考案の一例である超音波チップの側面図である。この図では径が３段であるが、２段であっても肉厚は厚くなる。
【図４】従来品の一例である超音波チップの正面図である。この図では径が３段であるが、従来品（市場で見かけられる当該品）は径が２段である。
【図４−１】図４を本件考案が理解しやすくする為に、図４のＡとＢの間を拡大した断面の側面図である。
【図５】従来の一例である超音波チップの立面図である。但し、針基部の描画を省略している。
【図６】従来品の一例である超音波チップの側面図である。
【考案を実施する為の形態】
【０００７】図２が示すように、外径０．６５ｍｍ（又は、外径０．７５ｍｍ）のカニューレの上に外径０．７５ｍｍ（又は、外径０．９ｍｍ）、更にその上に外径０．９ｍｍ（又は、外径１．１５ｍｍ）を重ねた３層構造にする。３層に重なったカニューレを３０度の角度をつけて切断してベベルとする。こうすると、内径０．４ｍｍで外径０．９ｍｍとなり、肉厚は０．２５ｍｍとなる（図１−１）。一方従来品では、内径０．７ｍｍで外径０．９ｍｍとなり、肉厚は０．１ｍｍである（図４−１）。
【実施例】
【０００８】図３の本考案の超音波チップ先端（図３の７）のカニューレ壁の断面の下半分程度が水晶体核に接蝕し、超音波振動で打撃し、核を破砕する。
本考案超音波チップの肉厚０．２５ｍｍの先端であって、水晶体核に接触し、打撃する距離（長さ）を掛け合わせた断面積が、打撃一回当たりの仕事量となる。
実際の効果結果を示す。本考案超音波チップでは、８５件（平均年齢７３．２歳、平均水晶体核硬度ＥＬ３．１）における平均超音波駆動時間は７３．６秒である。一方、従来の超音波チップでは４９件（平均年齢７２．７歳、平均水晶体核硬度ＥＬ３．１）における平均超音波駆動時間は８６．０秒である。
尚、本考案超音波チップを使い慣れ、習熟後の手術成績においては、この平均値は６９．５秒に更に短縮している。
【産業上の利用可能性】
【０００９】医療分野。眼科白内障手術における超音波水晶体乳化吸引術で使用する超音波チップである。本考案は従来品より効率よく水晶体核を破砕する。超音波チップ管内に吸引した皮質が詰まり難い。小切開創口で使用できる。操作性が良い。特に、効率が良いとという事は、手術時間が短縮し、術者も患者も術中ストレスが軽減する。
世界の国々の白内障手術において本考案超音波チップは歓迎されるであろう。
【符号の説明】
【００１０】４    カニューレ外径０．６５ｍｍ
１    カニューレ内径０．４ｍｍ
３    カニューレ外径０．７５ｍｍ
６    カニューレ内径０．５ｍｍ
２    カニューレ外径０．９ｍｍ
５    カニューレ内径０．６５ｍｍ
７    超音波チップ先端部分。長さ：先端から１．５ｍｍ〜４ｍｍの部分
８    上記７以外のカニューレ部分
Ａ    図１−１又は図４−１の部分拡大断面図のの左端
Ｂ    図１−１又は図４−１の部分拡大断面図のの右端
【図１】
0003221879.tif 000003
【図１−１】
0003221879.tif 000004
【図２】
0003221879.tif 000005
【図３】
0003221879.tif 000006
【図４】
0003221879.tif 000007
【図４−１】
0003221879.tif 000008
【図５】
0003221879.tif 000009
【図６】
0003221879.tif 000010
【手続補正書】
【提出日】平成31年4月3日(2019.4.3)
【手続補正１】
【補正対象書類名】実用新案登録請求の範囲
【補正対象項目名】全文
【補正方法】変更
【補正の内容】
【実用新案登録請求の範囲】
【請求項１】
超音波チップ先端部分の外径が、超音波チップ先端部分の後端から針基までのカニューレの外径より長い外形形状の超音波チップであるが、超音波チップ先端部分の内径と先端部分の後端から針基までのカニューレの内径が同一の長さであるところの超音波チップ。
【請求項２】
超音波チップ先端部分の外径が、超音波チップ先端部分の後端から針基までのカニューレの外径より長い外形形状の超音波チップであるが、超音波チップ先端部分の内径は先端部分の後端から針基までのカニューレの内径の１．２倍以内であるところの超音波チップ。